(57)【要約】      （修正有）【課題】荷物運搬用のパレット積載物を固定する手段として、ストレッチフィルムに代わる固定手段と、作業者一人で短時間にパレット積載物を固定する手段を提供する。【解決手段】３本の固定ベルト２ａ〜２ｃと荷崩れ防止網４が長方形に配置された積載物固定ベルトの最上部に位置する固定ベルトの２箇所に積載物の固定開始用挿入部材１ａ、１ｂを設け、固定開始用挿入部材が長手方向の積載物固定ベルトの最上部に位置する固定ベルト２ａと直角に交わり、固定ベルトより１５０ｍｍから２００ｍｍ突出しており、短手方向の積載物固定ベルト３ａ〜３ｃの幅を７００ｍｍから１２００ｍｍの形態とする事、及び積載物固定ベルトの最上部に位置する固定ベルトに荷崩れ防止ネットが結合できる部材１０を設けた。【選択図】図１
0003137067.tif 000002
【実用新案登録請求の範囲】
【請求項１】
３本の固定ベルトと荷崩れ防止網が長方形に配置された積載物固定ベルトであって、該積載物固定ベルトの最上部に位置する固定ベルトの２箇所に積載物固定開始用挿入部材を設けた事を特徴とするパレット積載物固定ベルト。
【請求項２】
前記、請求項１記載の長方形に配置された積載物固定ベルトの長手方向末端の一部５００ｍｍから７００ｍｍが折り曲げられる構造になっている事を特徴とするパレット積載物固定ベルト。
【請求項３】
前記、請求項１記載の長方形に配置された積載物固定ベルトの最上部に位置する固定ベルトに荷崩れ防止ネットが結合できる部材を設けた事を特徴とする請求項１及び２記載のパレット積載物固定ベルト。
【請求項４】
前記、請求項１記載の積載物固定開始用挿入部材が積載物固定ベルトの最上部に位置する固定ベルトと直角に交わり、該固定ベルトより１５０ｍｍから２００ｍｍ突出している事を特徴とする請求項１から３記載のパレット積載物固定ベルト。
【請求項５】
前記、積載物固定ベルトの短手方向の幅を７００ｍｍから１２００ｍｍの形態とさせる事を特徴とする請求項１から４記載のパレット積載物固定ベルト。
【請求項６】
前記、請求項３記載の荷崩れ防止ネットを、固定ベルトに結合できる部材が積載物固定ベルトの最上部に位置する固定ベルトと直角に交わり、該固定ベルトから２０ｍｍから５０ｍｍ突出している事を特徴とする請求項１から５記載のパレット積載物固定ベルト。
【考案の詳細な説明】
【技術分野】
【０００１】  本考案は荷物運搬用パレット積載物の荷崩れを防止するパレット積載物固定ベルトに関する。
【背景技術】
【０００２】従来、荷物運搬用パレット積載物の荷崩れを防止する手段としては、一般には積載物の周囲にストレッチフィルムを幾重にも巻いて積載物の荷崩れを防止してきた。ストレッチフィルムを幾重にも巻いて固定する方法では、その作業時間が長くかかる事とストレッチフィルムは一度の使い切り使用で再利用できない事とストレッチフィルムの廃棄費用がかかる欠点を持っていた。又、廃棄したストレッチフィルムを焼却処理した場合、多量の炭酸ガスを発生させるため、環境への影響も好ましい状態ではなかった。これらの欠点を改善する事と、積載物を固定するのに作業者一人で短時間に作業が完了できる手段の提供も望まれていた。
【考案の開示】
【考案が解決しようとする課題】
【０００３】  本考案は荷物運搬用のパレット積載物を固定する手段として、ストレッチフィルムに代わる固定手段の提供と、作業者一人で短時間にパレット積載物を固定できる手段の提供にある。
【課題を解決するための手段】
【０００４】  上記の課題を解決すべく本考案者らは鋭意検討した結果、上記の課題は次のような手段によって解決できる事がわかった。
即ち、３本の固定ベルトと荷崩れ防止網が長方形に配置された積載物固定ベルトの最上部に位置する固定ベルト２箇所に、積載物の固定開始用挿入部材を設け、該固定開始用挿入部材が長手方向の固定ベルトと直角に交わり、該固定ベルトから１５０ｍｍから２００ｍｍ突出しており、短手方向の積載物固定ベルトの幅を７００ｍｍから１２００ｍｍの形態とする事、及び該積載物該固定ベルトの最上部に位置する固定ベルトに荷崩れ防止ネットが結合できる部材を設け、該結合部材が積載物固定ベルトの最上部に位置する固定ベルトと直角に交わり、該固定ベルトより２０ｍｍから５０ｍｍ突出している事によって前記課題が解決できる事がわかった。
【考案の効果】
【０００５】３本の締めベルトと荷崩れ防止網が長方形に配置された固定ベルトの上部２箇所の角に積載物の固定開始用挿入部を配置し、そのいずれかの挿入部１箇所を仮固定して、積載物の固定作業を開始する態様にする事で、作業者一人でパレット積載物の固定作業が出来る事を可能とした。又、本考案の積載物固定ベルトを用いる事によって、従来から行なってきたストレッチフィルムを幾重にも巻く作業時間の短縮と、ストレッチフィルムの廃棄作業の改善と廃棄費用の削減及びストレッチフィルムの焼却処理による炭酸ガスの排出の削減等に結びつけることが可能となる。
【考案を実施するための最良の形態】
【０００６】作業者一人でパレット上の積載物を固定する場合において、図１の１ａ、１ｂのいずれか一箇所を積載物の段ボール箱２段目と段ボール箱３段目間のどこか一箇所に挿入し、固定ベルトを一時的に仮固定し、積載物の周囲に図１の２ａ、２ｂ、２ｃ、３ａ、３ｂ、３ｃ、９ａ、９ｂ、９ｃ及び４からなる積載物固定ベルトを巻き付け７ａ、７ｂ、７ｃの締め金具に６ａ、６ｂ、６ｃの締めベルトを通して固定する。次に図３の荷崩れ防止ネット１１を積載物の上に掛け、図４の荷崩れ防止ネット連結部材１２を図１の荷崩れ防止結合部材１０と結合させれば良い。最終的な形態は図４又は図５の積載状態となる。
【実施例】
【０００７】以下、本考案を図面を用いて詳細に説明する。
図１は本考案の積載物固定ベルトの立面図である。
２ａ、２ｂ、２ｃ、３ａ、３ｂ、３ｃ、９ａ、９ｂ、９ｃ及び４が本考案の積載物固定ベルト本体であり、１ａ、１ｂは本考案の積載物の固定開始用挿入部材である。４は積載物固定ベルト本体の中で荷崩れ防止機能を持っている網である。５ａ、５ｂ、５ｃは７ａ、７ｂ、７ｃの締め金具と連結させる締めベルトである。６ａ、６ｂ、６ｃは７ａ、７ｂ、７ｃの金具に通して積載物を固定する締めベルトである。１０は固定ベルト２ａの上部に位置し、荷崩れ防止ネットを積載物固定ベルトに結合可能にする結合部材である。積載物固定ベルトでパレット上の積載物を固定する場合は１ａ、１ｂのいずれか一ヶ所を積載物の段ボール箱と段ボール箱の間に挿入し、固定ベルトを一時的に仮固定し、積載物の周囲に２ａ、２ｂ、２ｃ、３ａ、３ｂ、３ｃ、９ａ、９ｂ、９ｃ及び４からなる積載物固定ベルトを巻き付け、７ａ、７ｂの締め金具に６ａ、６ｂの締めベルトを通して固定すれば良い態様になっている。
本考案の積載物固定ベルトは、一般には１１００ｍｍ×１１００ｍｍのサイズのパレットを基準にしているが、９ａ、９ｂ、９ｃは小さなパレット例えば８５０ｍｍ×８５０ｍｍのパレットの積載物を固定する場合、内側に折り曲げられる構造となっている。従って、本考案の積載物固定ベルトは一般のパレット１１００ｍｍ×１１００ｍｍサイズ及び８５０ｍｍ×８５０ｍｍの小さなサイズのパレットに一種類の積載物固定ベルトで積載物の固定が可能となる。又、この作業は作業者一人で出来る事が大きな特徴である。【０００８】図１の本考案の積載物固定ベルトの材質と寸法について以下に説明する。
１ａ、１ｂ、２ａ、２ｂ、２ｃ、３ａ、３ｂ、３ｃ、５ａ、５ｂ、５ｃ、６ａ、６ｂ、６ｃ、９ａ、９ｂ、９ｃ及び１０の材質はナイロン、ポリエステル、ポリプロピレン等の合成繊維で織られた厚さ１ｍｍから４ｍｍのベルトが好ましい態様であり、再利用に耐える強度がある。４の材質もナイロン、ポリエステル、ポリプロピレンが好ましく、網の糸の太さは２ｍｍから５ｍｍであれば、積載物の表示も読みやすく好ましい態様である。１ａ、１ｂの寸法は幅５５ｍｍで長さ１５０ｍｍから２００ｍｍである。２ａ、２ｂ、２ｃの寸法は幅５５ｍｍで長さ３５００ｍｍから４２００ｍｍである。３ａ、３ｂ、３ｃの寸法は５５ｍｍで長さ７００ｍｍから１２００ｍｍである。９ａ、９ｂ、９ｃの寸法は幅５５ｍｍで長さ５００ｍｍである。５ａ、５ｂ、５ｃの寸法は幅２５ｍｍで長さ１１０ｍｍから１５０ｍｍである。６ａ、６ｂ、６ｃの寸法は幅２５ｍｍで長さ１０００ｍｍから１２００ｍｍである。４の荷崩れ防止網の寸法は幅７００ｍｍから１２００ｍｍで長さ３５００ｍｍから４２００ｍｍ、網の糸の太さは１ｍｍから４ｍｍで、積載される段ボール箱の表示が判読できる態様になっている。７ａ、７ｂ、７ｃの固定金具は６ａ、６ｂ、６ｃの幅２５ｍｍの締めベルトを通して固定できる態様となっている。【０００９】図２は１１００ｍｍ×１１００ｍｍサイズのパレットの積載物を固定する場合の８ａの部分の拡大図である。８ａ、８ｂ、８ｃは９ａ、９ｂ、９ｃと３ｃの固定ベルトが交差する先端に袋状に位置し、締めベルト６ａ、６ｂ、６ｃを８ａ、８ｂ、８ｃの袋状部材の中を通して７ａ、７ｂ、７ｃの固定金具で固定する態様である。【００１０】図３はパレット積載物の最上部にかける荷崩れ防止ネットであり、１１は積載物上部を覆う荷崩れ防止ネットでネットの寸法は１３００ｍｍ×１３００ｍｍから１６００ｍｍ×１６００ｍｍである。１１の材質はナイロン、ポリエステル、ポリプロピレンの合成繊維が好ましく、網の糸の太さは１ｍｍから４ｍｍであれば積載物表示も読みやすい態様である。１２は積載物上部を覆う荷崩れ防止ネット１１を、固定ベルトの２ａ上部に設けた結合部材１０と結合させる。連結部材はステンレス等の金具が耐久性があり好ましい態様である。【００１１】図４は実際の積載物をパレット上に積み、本考案の積載物固定ベルトで積載物を固定した積載状態図である。段ボール箱３段の積載物が本考案の積載物固定ベルトによって固定され、積載物上部を荷崩れ防止ネットで結合させた状態を示す。１ａの固定開始用挿入部は大部分が段ボール箱２段目と３段目の間に挿入されている状態を示している。
１ａの固定開始用挿入部を固定開始時は段ボール箱２段目と３段目の間の挿入して仮固定し、固定開始作業を行ない、段ボール箱を一周して、７ａ、７ｂ、７ｃの固定金具に６ａ、６ｂ、６ｃの締めベルトを通して固定作業をする。従って、１ａの固定開始用挿入部材は段ボール箱２段目と３段目の間に挟まれている状態を示している。一方、１ｂはこの場合、固定開始用挿入部材の機能を働かせる必要が無いのでフリーの状態である。積載物の位置又は積載物固定ベルトの固定作業の開始状況によっては１ｂの固定開始用挿入部材を最初に利用したほうが固定しやすい場合は、１ｂの固定開始用挿入部材を段ボール箱の間に挿入することによって固定開始作業ができる態様となっている。
段ボール箱３段目の固定方法としては、積載物の上部から荷崩れ防止ネット１１で覆い、荷崩れ防止ネット連結部材１２で固定ベルトの上部に設けられた荷崩れ防止ネット結合部材１０に結合させることによって確実に段ボール箱３段の積載物を固定できる。【００１２】図５は例えば８５０ｍｍ×８５０ｍｍサイズの小さなパレットに段ボール箱３段の積載物を本考案の積載物固定ベルトの９ａ、９ｂ、９ｃの部分で内側に折り返し、段ボール３段の積載物を固定し、積載物の上部から荷崩れ防止ネット１１で覆い、荷崩れネット連結部材１２で固定ベルトの上部に設けられた荷崩れ防止ネット結合部材１０に結合させることによって確実に段ボール箱３段の積載物を固定できる。
【産業上の利用可能性】
【００１３】パレットに荷物を積載し運搬する運搬作業者及び輸送業界で、パレットへの荷物、例えば段ボール箱等を数段に重ねて積載し、該積載物を作業者一人で固定する場合において、従来利用していたストレッチフィルムに代わって本考案のパレット積載物固定ベルトが利用できる。
【図面の簡単な説明】
【００１４】
【図１】積載物固定ベルトの立面図である。
【図２】積載物固定ベルトの袋状締めベルト通しの拡大図である。
【図３】パレット積載物の上部に掛ける荷崩れ防止網の見取り図である。
【図４】積載物固定ベルトと荷崩れ防止網を結合させて、パレット上の積載物を固定した見取り図である。
【図５】積載物を小パレット上に積み積載物固定ベルトの折り返し部を内側に収納して、荷崩れ防止網を結合させて、パレット上の積載物を固定した見取り図である。
【符号の説明】
【００１５】  １ａ、１ｂ、１ｃ、１ｄ：固定開始用挿入部材
２ａ、２ｂ、２ｃ      ：固定ベルト（長手方向）
３ａ、３ｂ、３ｃ      ：固定ベルト（短手方向）
４                    ：荷崩れ防止網
５ａ、５ｂ、５ｃ      ：締めベルト
６ａ、６ｂ、６ｃ      ：締めベルト
７ａ、７ｂ、７ｃ      ：締め金具
８ａ、８ｂ、８ｃ      ：袋状締めベルト通し
９ａ、９ｂ、９ｃ      ：固定ベルト（折り返し部）
１０                    ：荷崩れ防止ネット結合部材
１１                    ：荷崩れ防止ネット
１２                    ：荷崩れ防止ネット連結部材
１３                    ：パレット
【図１】
0003137067.tif 000003
【図２】
0003137067.tif 000004
【図３】
0003137067.tif 000005
【図４】
0003137067.tif 000006
【図５】
0003137067.tif 000007
【手続補正書】
【提出日】平成19年4月19日(2007.4.19)
【手続補正１】
【補正対象書類名】実用新案登録請求の範囲
【補正対象項目名】請求項３
【補正方法】変更
【補正の内容】
【実用新案登録請求の範囲】
【請求項３】
前記、請求項１記載の長方形に配置された積載物固定ベルトの最上部に位置する固定ベルトに荷崩れ防止ネットが結合できる部材を設けた事を特徴とする請求項１又は２記載のパレット積載物固定ベルト。
【請求項４】
前記、請求項１記載の積載物固定開始用挿入部材が積載物固定ベルトの最上部に位置する固定ベルトと直角に交わり、該固定ベルトより１５０ｍｍから２００ｍｍ突出している事を特徴とする請求項１記載のパレット積載物固定ベルト。
【請求項５】
前記、積載物固定ベルトの短手方向の幅を７００ｍｍから１２００ｍｍの形態とさせる事を特徴とする請求項１又は２記載のパレット積載物固定ベルト。
【請求項６】
荷崩れ防止ネットを固定ベルトに結合できる部材が、積載物固定ベルトの最上部に位置する固定ベルトと直角に交わり、該固定ベルトから２０ｍｍから５０ｍｍ突出している事を特徴とする請求項３記載のパレット積載物固定ベルト。
【手続補正書】
【提出日】平成19年6月27日(2007.6.27)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項３
【補正方法】変更
【補正の内容】
【請求項３】
前記、請求項１記載の長方形に配置された積載物固定ベルトの最上部に位置する固定ベルトに荷崩れ防止ネットが結合できる部材を設けた事を特徴とする請求項１又は２記載のパレット積載物固定ベルト。
【手続補正２】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項４
【補正方法】変更
【補正の内容】
【請求項４】
前記、請求項１記載の積載物固定開始用挿入部材が積載物固定ベルトの最上部に位置する固定ベルトと直角に交わり、該固定ベルトより１５０ｍｍから２００ｍｍ突出している事を特徴とする請求項１記載のパレット積載物固定ベルト。
【手続補正３】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項５
【補正方法】変更
【補正の内容】
【請求項５】
前記、積載物固定ベルトの短手方向の幅を７００ｍｍから１２００ｍｍの形態とさせる事を特徴とする請求項１又は２記載のパレット積載物固定ベルト。
【手続補正４】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項６
【補正方法】変更
【補正の内容】
【請求項６】
荷崩れ防止ネットを固定ベルトに結合できる部材が、積載物固定ベルトの最上部に位置する固定ベルトと直角に交わり、該固定ベルトから２０ｍｍから５０ｍｍ突出している事を特徴とする請求項３記載のパレット積載物固定ベルト。